(57)【要約】腰部に配置され、略Ｕ字状の内部補強構造２を備え、翼部５をその端部に有する外側カバー３内に収容される姿勢矯正装置１。好ましくは、翼部５は、装置の中心部に対して折り目線６によって折り畳み可能であり、翼部の内面は両前腕をもたせ掛けるためのパッド４を有する。また、本発明の対象は、折り畳み可能な姿勢矯正装置１を備えたリュックサックである。姿勢矯正装置１は、使用者が彼の背中に垂れ下がるリュックサック１０を背負っているときに使用者の両前腕を支持して使用者の背中を真直ぐにさせるための折り畳み可能な翼部５がバッグ１１の背面部１１ａの両側に存在することによって画成される。【選択図】図１、図２
2020520685.tif 000002
【特許請求の範囲】
【請求項１】
姿勢矯正装置（１）であって、腰部に配置されることと、翼部（５）をその端部に有する外側カバー（３）内に収容される略Ｕ字状の内部補強構造（２）を備えることと、を特徴とする姿勢矯正装置（１）。
【請求項２】
前記翼部（５）は、折り目線（６）によって、前記装置の中心部に対して折り畳み可能であることを特徴とする、請求項１に記載の姿勢矯正装置（１）。
【請求項３】
両前腕をもたせ掛けるためのパッド（４）が前記翼部（５）の内面に存在することを特徴とする、請求項１に記載の姿勢矯正装置（１）。
【請求項４】
前記装置（１）は、前記装置が前記腰部に支持される箇所に位置する半球状隆起を複数備えることを特徴とする、請求項１〜３のいずれか一項に記載の姿勢矯正装置（１）。
【請求項５】
前記内部補強構造（２）は中心エリア（７）と前記中心エリア（７）の両側に配置された２つの端部（８）とを備え、前記中心エリアは前記両端部（８）に対して窪んで凹面（９）を画成することを特徴とする、請求項１〜４のいずれか一項に記載の姿勢矯正装置（１）。
【請求項６】
前記凹面（９）は、前記腰部における背中の幅を収容できるような幅を有することを特徴とする、請求項５に記載の姿勢矯正装置（１）。
【請求項７】
前記外側カバー（２）は通気性材料製であることを特徴とする、請求項１〜６のいずれか一項に記載の姿勢矯正装置（１）。
【請求項８】
背中に背負われる、少なくとも２つの垂れ下がるバンド（１２）を有する、バッグ（１１）から構成される、姿勢矯正装置付きのリュックサックであって、使用者が彼の背中に垂れ下がる前記リュックサック（１０）を背負っているときに両前腕を支持し、前記使用者の前記背中を真直ぐにさせるために、前記バッグ（１１）に組み込まれた、前記バッグ（１１）の背面部（１１ａ）の両側に折り畳み可能な、それぞれの翼部（５）の存在によって画成される折り畳み可能な姿勢矯正装置（１）を備えることを特徴とするリュックサック。
【請求項９】
前記翼部（５）は、前記バッグ（１１）の両側から横方向に広がって突出する前記使用者の前記両前腕のためのそれぞれの支持面（５ａ）を画成する、広げられた使用位置と、前記翼部（５）が畳まれて前記バッグ（１１）から突出しない折り畳まれた不使用位置とを有することを特徴とする、請求項１に記載の姿勢矯正装置付きのリュックサック。
【請求項１０】
前記翼部（５）は、その折り畳まれた不使用位置において、前記バッグ（１１）の両側に折り畳まれていることを特徴とする、請求項２に記載の姿勢矯正装置付きのリュックサック。
【請求項１１】
前記折り畳み可能な姿勢矯正装置（１）を形成する前記２つの翼部（５）は、前記バッグ（１１）の前記下端に対して同じ高さに位置し、且つ対称的であることを特徴とする、前記請求項１〜３のいずれか一項に記載の姿勢矯正装置付きのリュックサック。
【請求項１２】
前記折り畳み可能な姿勢矯正装置（１）を構成する前記２つの翼部（５）は僅かに湾曲した形状構成をそれぞれの近位端に有し、そこで前記翼部（５）は前記バッグ（１１）に接合され、前記両前腕のための前記支持面を前記バッグ（１１）の前記背面部（１１ａ）より前方の平面に位置付けることを特徴とする、請求項１〜４のいずれか一項に記載の姿勢矯正装置付きのリュックサック。
【請求項１３】
前記翼部（５）は前記バッグ（１１）の前記背面部（１１ａ）の前記下端に配置されて前記下端に位置することを特徴とする、請求項１〜５のいずれか一項に記載の姿勢矯正装置付きのリュックサック。
【請求項１４】
前記翼部（５）は前記バッグ（１１）の前記背面部（１１ａ）の中間高さに位置することを特徴とする、請求項１〜６のいずれか一項に記載の姿勢矯正装置付きのリュックサック。
【請求項１５】
前記翼部（５）は高さの調整が可能であることを特徴とする、請求項１〜７のいずれか一項に記載の姿勢矯正装置付きのリュックサック。
【請求項１６】
前記折り畳み可能な姿勢矯正装置（１）は、前記バッグ（１１）に一体に接合された固定装置であることを特徴とする、請求項１〜８のいずれか一項に記載の姿勢矯正装置付きのリュックサック。
【請求項１７】
前記折り畳み可能な姿勢矯正装置（１）は抜去可能な装置であることを特徴とする、請求項１、４、５、および９のいずれか一項に記載の姿勢矯正装置付きのリュックサック。
【請求項１８】
前記折り畳み可能な姿勢矯正装置（１）は、ほぼ平らで細長い単一部品によって構成され、その両側端部は、前記使用者の前記両前腕のための前記支持翼部（５）をそれぞれ画成し、前記単一部品は、前記バッグ（１１）の前記背面部（１１ａ）にそのために設けられた収納部に挿入可能であることを特徴とする、請求項１、４、５、９、１０、または１１のいずれか一項に記載の姿勢矯正装置付きのリュックサック。
【発明の詳細な説明】
【技術分野】
【０００１】
本発明は、本明細書の表題に示されているように、姿勢矯正装置およびこの姿勢矯正装置が組み込まれたリュックサックであって、この姿勢矯正装置は、それが意図された機能に、以下に詳細に開示されている、技術の現状において傑出した新規性を意味する、利点および特徴をもたらす、姿勢矯正装置およびこの姿勢矯正装置が組み込まれたリュックサックに関する。
【０００２】
本発明の対象は、背中を真っ直ぐにさせて前屈みの姿勢にならないようにするための、すなわち背中の姿勢の、姿勢矯正装置に関する。
【０００３】
本発明の適用分野は、身体に装着されたときに背中の姿勢を矯正しようとする装置の製作に従事している業界部門内、ならびにリュックサックの製作に従事している業界部門内、にある。
【背景技術】
【０００４】
現在、市場には、背中を真っ直ぐに維持するように設計された、その大半はサポート型構造に基づく、複数の整形外科装置、ならびに複数のリュックサックモデル、が存在し、この両方を組み合わせたものも存在し得るが、リュックサックの使用はそれ自体が脊柱にとって過度の緊張を既に意味し得るばかりでなく、加えて、腹部を取り囲むバンドまたはコルセットの存在が一般に予想されるので、通常、そのような装置は、製作および設計が複雑であり、使用が窮屈であり、着脱が容易でない。
【０００５】
他方、技術の現状に関して、姿勢矯正装置または姿勢矯正装置付きのリュックサック、あるいは本明細書において特許請求されるものによって示されている技術および構造上の特徴と等しい、または同様の、技術および構造上の特徴を有する、同様の用途を有する別の発明、の存在は未知であることを指摘できる。
【発明の概要】
【課題を解決するための手段】
【０００６】
本発明の目的は、使用者に真っ直ぐな姿勢を取らせ、背中を真っ直ぐにして歩かせる、または立たせておく、背中の姿勢の姿勢矯正装置である。
【０００７】
更に、本発明の目的は、背中の真っ直ぐな姿勢の維持を実現すると同時に、腰部のマッサージが簡単な方法で実現されるように、背中のマッサージのための手段を前記装置に補足的に設けることである。
【０００８】
したがって、本発明の目的は、製作および使用が簡単な姿勢矯正装置を開発すること、ならびに、物品を運ぶための従来の用途に加え、同時に実用的且つ快適な姿勢矯正手段を構成できるリュックサックであって、生じる諸欠点を回避し、したがって、その製作ならびに装着が容易であり、すなわち、従来のリュックサックのように簡単に使用でき、更には、そう望むときには、姿勢矯正装置としても使用できる、リュックサックを提供することである。
【０００９】
この姿勢矯正装置は、その特殊な構成と設計とを特徴とし、背中に正しく配置されたときに、背中の姿勢を簡単に、且つ殆ど努力なしに、矯正して前屈みの姿勢になるのを防止できる。
【００１０】
本発明の更なる一目的は、両肩に掛かるバンドが設けられた、背中に背負われるバッグによって物品を運ぶように意図された従来のリュックサックであって、使用者が彼の背中に垂れ下がるリュックサックを背負っているときに簡単且つ容易に、且つ随意に、彼の背中を真直ぐにさせて前屈みの姿勢になるのを防止できる折り畳み可能な姿勢矯正装置が前記バッグに組み込まれていることを特徴とするリュックサックである。
【００１１】
本装置は、中心領域と端部とを有するＵ字状の内部補強構造を備える。中心領域と端部とは、端部に対して中心領域が背中を収容できるような寸法を有する窪みまたは凹面を画成するように、配置される。
【００１２】
前記Ｕ字状の内部補強構造は、好ましくは通気性材料製の、例えば編織布製の、外側カバー内に収容される。外側カバーは、翼部を有する。翼部は、最終的な装置の寸法を縮小できるように、随意に、且つ補足的に、中心に対して折り畳み可能であり得る。
【００１３】
外側カバーの翼部は、内面に、すなわち両前腕に接する面に、両腕をもたせ掛け易くするためのパッドを有するので、両前腕によって前方に僅かな力を加えると、背中は無意識に真っ直ぐな姿勢になる。
【００１４】
また、装置は、複数の半球状隆起を補足的に有し得る。これら隆起は、装置を着用して歩いているときに腰部をマッサージする役割りを果たすように、装置が腰部に支持される箇所に位置付けられる。
【００１５】
本発明の目的は、姿勢矯正装置ならびに姿勢矯正装置付きのリュックサックである。したがって、これらは、その適用分野において傑出した新規性として構成される。その理由は、その具現化時、上記の諸目的が達成され、その達成を可能にし、それを際立たせる特徴となる詳細がこの明細書本文に添付されている最後の特許請求の範囲に正式に含まれているからである。
【００１６】
具体的には、本発明が提案するのは、上で言及したように、肩部から垂れ下がる少なくとも２つのバンドを有するバッグから従来どおりに構築された、背中に背負う物品を運ぶように意図されたリュックサックであって、このリュックサックは、使用者が彼の背中に垂れ下がるリュックサックを背負っているとき、彼がそれを背負って歩いているとき、ならびに歩いていないとき、または彼が単に立っているときに、簡単且つ容易に、および随意に、使用者の背中を真直ぐにさせて前屈みの姿勢になるのを防止できる折り畳み可能な姿勢矯正装置が前記バッグに組み込まれていることを特徴とするリュックサックである。
【００１７】
このために、バッグの背面部、すなわち、バッグが使用者の背中に垂れ下がっているときに彼の背中に接触している部分、の両側に、折り畳み可能な翼部の存在がそれぞれもたらされる。これら翼部は、広げられた使用位置では、バッグの両側に横方向に突出して使用者の両前腕のための支持面をそれぞれ画成し、折り畳まれた不使用位置では、リュックサックの平常の使用を妨げないために、畳まれてバッグから突出しない、好ましくはバッグの側面に折り畳まれている。
【００１８】
有利には、同じ高さに位置する対称的な両翼部は、僅かに湾曲した形状構成、すなわち、両翼部をバッグに接合する形状構成、をそれぞれの近位端に有するので、両前腕のための支持面が位置する平面は、使用者の背中に支持されているバッグの背面部の平面より前方に位置し、その使用をより容易にする。
【００１９】
好ましくは、両翼部は、使用者の腰部に一致するように、バッグの前記背面部の下端に配置されるが、場合によっては、前記配置は、バッグの背面部の中間高さ、または上端、にすることもできる。姿勢矯正装置の配置は、バッグの背面部に対して固定することも、各使用者の諸要件および身長に合わせられるようにその高さの調節をバッグの前記背面部に対して可能にする手段のおかげで、高さの調整が可能であることも予想される。
【００２０】
使用者は、彼の両前腕を姿勢矯正装置に支持できるばかりでなく、姿勢矯正装置がバッグの背面部に対して上方位置に位置付けられているときは彼の両上腕二頭筋を支持することもできる。この状況は、重いリュックサックをより楽に背負うことを可能にする。
【００２１】
何れの場合も、リュックサックのバッグに組み込まれる姿勢矯正装置は、好ましくは固定式の装置であるが、場合によっては、例えばバッグの背面部にそのために用意された二重層の間に画成された収納部に随意に挿入して組み込めるように、抜去可能にすることもできる。
【００２２】
したがって、開示される姿勢矯正装置付きのリュックサックは、それが意図された目的のための、現在まで未知であった、諸特徴を有する革新的な構造で構成され、それら諸特徴は、その構造の実用性に結合されて、特許請求される独占性の特権を得るために十分な根拠をもたらす理由である。
【００２３】
記載の説明を補足するために、および本発明の特徴の最適な理解を助けるために、一組の図面が本明細書の一体部分として本明細書に添付されている。これらの図面には、例示および非限定的な目的のために、以下が示されている。
【図面の簡単な説明】
【００２４】
【図１】本発明の対象である姿勢矯正装置を装着している個人を示す。
【図２】本装置の構造上の詳細を斜視図で示す。
【図３】内部補強構造の可能な一実施形態を示す。
【図４】内部補強構造の可能な第２の実施形態を示す。
【図５】矯正装置が折り畳まれた位置で示され、その形状構成および配置が分かる、本発明の対象である姿勢矯正装置付きのリュックサックの一例を背面斜視図で示す。
【図６】矯正装置が折り畳まれた位置で示され、その形状構成および配置が分かる、本発明の対象である姿勢矯正装置付きのリュックサックの一例を正面斜視図で示す。
【図７】姿勢矯正装置が使用位置にある、先行図に示されているリュックサックの背面図を示す。
【図８】姿勢矯正装置が使用位置にある、先行図に示されているリュックサックの正面図を示す。
【図９】姿勢矯正装置がバッグの下部ではなく中間高さに配置され、折り畳まれた位置にある、４つの先行図に示されている本発明によるリュックサックの同じ例の背面斜視図を示す。
【図１０】姿勢矯正装置がバッグの下部ではなく中間高さに配置され、折り畳まれた位置にある、４つの先行図に示されている本発明によるリュックサックの同じ例の正面斜視図を示す。
【図１１】姿勢矯正装置がバッグの下部ではなく中間高さに配置され、使用位置にある、４つの先行図に示されている本発明によるリュックサックの同じ例の背面斜視図を示す。
【図１２】姿勢矯正装置がバッグの下部ではなく中間高さに配置され、使用位置にある、４つの先行図に示されている本発明によるリュックサックの同じ例の正面斜視図を示す。
【発明を実施するための形態】
【００２５】
上記の図を見ると、および採用されたナンバリングにより、これらの図には、以下に詳細に言及および開示されている部品および要素を備えた、本発明の矯正装置ならびに姿勢矯正装置付きのリュックサックの非限定的な実施形態の複数の例が示される。
【００２６】
図１には、本発明の対象である姿勢矯正装置（１）を身に付けている個人の正面図が示される。この図から分かるように、姿勢矯正装置（１）は腰部に配置され、側方に突出した２つの翼部が両前腕の領域の支持面として背中の延伸を引き起こす役割を果たす。
【００２７】
図２に示されているように、本装置は、通気性材料製の外側カバー（３）の中に収容される略Ｕ字状の内部補強構造（２）を備える。
【００２８】
外側カバー（３）は、補剛用構造が収容される中心部に対して、好ましくは折り目線（６）に沿って折り畳み可能な、翼部（５）をその両端に有する。
【００２９】
両前腕を両翼部（５）の内面に支持させ易くするために、両翼部（５）は、両前腕を支持すると同時に、背中を鉛直姿勢に維持するために役立つパッド（４）を補足的に有する。
【００３０】
図３および図４には、内部補強構造（２）の２つの異なる実施形態が示されている。これら実施形態は、どちらの場合も、中心エリア（７）と中心エリア（７）の両側に配置された２つの端部（８）とを有し、２つの端部（８）は、中心エリアが両端部（８）に対して窪んで凹面を画成するように、配置される。
【００３１】
前記凹面（９）は、腰部における背中の幅を収容できるような幅と、約５ｃｍの深さとを有するので、本装置の両翼部（８）は中心エリアより僅かに前方に位置して両前腕に対する支持面の役割を果すので、両前腕を僅かに後に引くことによって背中を真っ直ぐな姿勢にする姿勢矯正をもたらす。
【００３２】
他方、図５〜図１２において分かるように、本発明のリュックサック（１０）は、背中に背負われる、少なくとも２つの垂れ下がるバンド（１２）を有する、バッグ（１１）から公知の方法で構成され、前記バッグ（１１）に組み込まれた折り畳み可能な姿勢矯正装置（１）を含むという特徴を有する。姿勢矯正装置（１）の使用により、使用者がその背中に垂れ下がるリュックサック（１０）を背負っているとき、その使用者の背中を真直ぐにさせることができる。姿勢矯正装置（１）は、バッグ（１１）の背面部（１１ａ）の両側に広がって突出する折り畳み可能な翼部（５）の存在によって画成される。これら翼部（５）は、図７、図８、図１１、および図１２から分かるように、翼部（５）が横方向に広がってバッグ（１１）の両側に突出して使用者の両前腕のための支持面（５ａ）を画成する広げられた使用位置と、図５、図６、図９、および図１０から分かるように、翼部（５）が畳まれて、好ましくはバッグ（１１）の両側に折り畳まれて、バッグ（１１）から突出しない、折り畳まれた不使用位置とを有する。
【００３３】
折り畳み可能な姿勢矯正装置（１）を形成する２つの翼部（５）は、バッグ（１１）の下端から同じ高さに位置し、且つ対称的であることが好ましい。
【００３４】
折り畳み可能な姿勢矯正装置（１）を構成する上記の２つの翼部（５）は、僅かに湾曲した形状構成をそれぞれの近位端に有する。そこで、両翼部（５）はバッグ（１１）に接合される。両前腕のための支持面（５ａ）は、使用者の背中に支持されるバッグ（１１）の背面部（１１ａ）の平面より前方の平面に位置付けられる。
【００３５】
図５〜図８の例に示されているように、翼部（５）は、バッグ（１１）の背面部（１１ａ）の下端に位置するように配置されると好都合であるが、図９〜図１２に示されているように、一代替選択肢において、翼部（５）はバッグ（１１）の前記背面部（１１ａ）の中間高さに配置される。実施形態の一変形例において、翼部（５）は高さの調整が可能である。
【００３６】
何れの場合も、実施形態の一選択肢における本発明の折り畳み可能な姿勢矯正装置（１）は、バッグ（１１）に一体に接合された固定装置であるが、代替実施形態の一変形例においては、抜去可能な装置である。そのために、姿勢矯正装置（１）は、例えば、ほぼ平坦で細長い単一部品で構成され、その両側端部は、使用者の両前腕のための支持面（５ａ）を有する翼部（５）をそれぞれ画成し、前記単一部品は、バッグ（１１）の背面部（１１ａ）にその目的のために設けられた収納部に挿入可能である。
【００３７】
本発明の本質ならびにその具現化方法は十分に開示されているので、その範囲およびそれから生じる利点を何れの当業者にも理解させるためにその説明をこれ以上展開する必要はないと思われる。本発明は、その本質内で、例えば上記の目的から詳細が異なる他の実施形態で具現化できること、および、その主原則が改変、変更、または修正されない限り、請求される保護が及ぶことになることが表明される。
【図１】
2020520685.tif 000003
【図２】
2020520685.tif 000004
【図３】
2020520685.tif 000005
【図４】
2020520685.tif 000006
【図５】
2020520685.tif 000007
【図６】
2020520685.tif 000008
【図７】
2020520685.tif 000009
【図８】
2020520685.tif 000010
【図９】
2020520685.tif 000011
【図１０】
2020520685.tif 000012
【図１１】
2020520685.tif 000013
【図１２】
2020520685.tif 000014
【国際調査報告】
2020520685.tif 000015
2020520685.tif 000016
2020520685.tif 000017
2020520685.tif 000018
2020520685.tif 000019
2020520685.tif 000020